【手続補正書】
【提出日】平成21年2月5日(2009.2.5)
【手続補正１】
【補正対象書類名】明細書
【補正対象項目名】００２４
【補正方法】変更
【補正の内容】
【００２４】
蓋体１１の着脱及び閉塞動作に連動して駆動モータが始動するようになっている。そのため、蓋体１１に設けられた永久磁石などを利用して、投入開口部７が閉塞（ロック）されたことを検出する検出手段を備える。取り付け手段２側に設けられた磁気センサによって投入開口部７が閉塞されたことを検出すると、図示しない制御手段によって駆動モータの駆動等が制御される。
【手続補正２】
【補正対象書類名】明細書
【補正対象項目名】００３２
【補正方法】変更
【補正の内容】
【００３２】
洗浄剤パッケージ２００は、これら保持部２１０，２１０を通して洗浄剤収容部３００に装着され、その状態で洗浄剤収容部３００内に固定できるように構成される。そのため、洗浄剤パッケージ２００は、図４に示すように、扁平な上下一対の円形容器１９８ａ，１９８ｂで構成され、内部に洗浄剤２０６が収容された状態で保着される。円形容器１９８ａ，１９８ｂの周縁の２箇所には、一対の凹部２０４，２０４が設けられる。これら凹部２０４，２０４は、蓋体１１の保持部２１０の外形よりも若干大き目に選定された半円状の凹部であって、一対の保持部２１０，２１０と対応するように、略１８０°の間隔を隔てて設けられる。蓋体１１の胴部６７の内周側に洗浄剤パッケージ２００を挿入して取り付けるため、円形容器１９８（１９８ａ，１９８ｂ）の直径は、蓋体１１の胴部６７の内周の径よりも若干小さくなるように選定される。円形容器１９８ａ，１９８ｂの凹部２０４，２０４以外の部分を蓋体１１の保持部２１０，２１０で保持できるようにするためである。円形容器１９８ａの上面と円形容器１９８ｂの下面には図４（ａ），（ｂ）に示すように、それぞれ複数の孔２０２が穿設される。これにより、蓋体１１の注水用透孔１０８から流入する水が洗浄剤パッケージ２００内に導かれる。孔２０２の径を調節することで、洗浄剤パッケージ２００から溶け出す（流れ出す）洗浄剤２０６の量を調節できる。
【手続補正３】
【補正対象書類名】明細書
【補正対象項目名】００４４
【補正方法】変更
【補正の内容】
【００４４】
ところで、図１０に示すように、蓋体１１の所定位置には磁石６９が取り付け固定される。一方、蓋体１１の磁石６９に対応する取り付け手段２の位置には図１に示すように、近接センサ２３２が設けられている。そして、蓋体１１を所定位置に回転させることで、破砕モードに対応する磁石６９と近接センサ２３２とが近接し、ディスポーザ装置１の運転モードが破砕モードに切り替わるようになっている。蓋体１１の位置検出手段として磁石６９と近接センサ２３２とを複数個使用して構成することもできる。
【手続補正４】
【補正対象書類名】明細書
【補正対象項目名】００７６
【補正方法】変更
【補正の内容】
【００７６】
第３回転破砕刃１６は円盤３５として構成され、中心の回転駆動軸３６を除く円盤３５の全面に多数のスリット３５ａを配列している。本例の第３回転破砕刃１６においては、複数のスリット群が形成され、各スリット群においては、隣接するスリット３５ａ同士は略平行に配列される。
【手続補正５】
【補正対象書類名】明細書
【補正対象項目名】００８２
【補正方法】変更
【補正の内容】
【００８２】
円盤３５の下面には回転駆動軸３６の一部として機能する嵌合部３７が設けられ、上述した減速ユニットの駆動軸１０と係合して回転駆動される構成となされている。嵌合部３７は駆動軸１０との嵌合状態を良好にするため、その内穴３７ａ（図１参照）は角穴となされる。六角穴でもよい。また、嵌合部３７は減速ユニットの駆動軸１０とはできるだけ充分な嵌合状態となるように嵌合部３７の嵌合長が選定されているものとする。
【手続補正６】
【補正対象書類名】明細書
【補正対象項目名】０１０１
【補正方法】変更
【補正の内容】
【０１０１】
図１６は自動給水型のディスポーザ装置１の構成を示す断面図であり、図１７はディスポーザ装置１の蓋体８２の構成を示す断面図である。
【手続補正７】
【補正対象書類名】明細書
【補正対象項目名】０１０３
【補正方法】変更
【補正の内容】
【０１０３】
蓋体８２は上蓋８２ａと中蓋８２ｂを備え、これらがビス（図示はしない）などによって一体化されて使用される。上蓋８２ａと中蓋８２ｂとで形成される内部空間は水の貯留部７２として機能するものであって、中蓋８２ｂの外壁の所定位置には図示するような水道水を給水するための給水口８８が設けられている。給水口８８と対峙する位置に供給口９２が位置する。
【手続補正８】
【補正対象書類名】明細書
【補正対象項目名】０１０５
【補正方法】変更
【補正の内容】
【０１０５】
導水分散部８０は、水を蓋体８２の中央部に集めてから中蓋８２ｂに分散させるために設けられたものである。したがって誘導隔壁部８０Ｂは、水を蓋体８２の中央部に集めて中蓋８２ｂ側に分散させるために使用される部材として機能する。
【手続補正９】
【補正対象書類名】明細書
【補正対象項目名】０１０６
【補正方法】変更
【補正の内容】
【０１０６】
そのため、この誘導隔壁部８０Ｂはその一端側が解放された導水路８１ａと、この導水路８１ａに連なる収束部８１ｂとで構成される。図１７のように収束部８１ｂを水平軸とほぼ平行に配置したとき、導水路８１ａの開口部は下側を向くと共に、垂直軸に対してほぼ平行するように、しかも多少末広がりとなるように設けられている。これら導水路８１ａと収束部８１ｂは何れも同じ高さとなされた隔壁として上蓋８２ａの裏面７３ｂ側に垂設されている。
【手続補正１０】
【補正対象書類名】明細書
【補正対象項目名】０１０９
【補正方法】変更
【補正の内容】
【０１０９】
次に、給水される水の蓋体８２内における経路について図１９及び図２０を参照して説明する。ここに、図１９は上蓋８２ａを装着した状態の蓋体８２の平面構成例を示し、図２０は図１９のＢ−Ｂ’線に沿った断面図を示す。
【手続補正１１】
【補正対象書類名】明細書
【補正対象項目名】０１１１
【補正方法】変更
【補正の内容】
【０１１１】
さて、本実施の形態では、自動供給を行う蓋体８２内に洗浄剤収容部３００が設けられる。具体的には、中蓋８２ｂ内の空間が洗浄剤収容部３００として利用される。すなわち、中蓋８２ｂの底部７７ａであって、給水される水の散水経路上に、図１９および図２０に示すような、洗浄剤パッケージ２００が収容される。この洗浄剤パッケージ２００の容器１９８は、底部空間に合うようなほぼＣ字状をなす略環状体である。洗浄剤パッケージ２００の内周径は上蓋８２ａの収束部８１ｂの長手方向の長さとほぼ同じ長さに選定される。洗浄剤パッケージ２００のうちＣ字状の開放された両先端部は、上蓋８２ａの導水路８１ａおよび中蓋８２ｂの注水隔壁部８０Ａと接触しないように多少空けて設けられる。このように、洗浄剤パッケージ２００は、上蓋８２ａおよび中蓋８２ｂのそれぞれに設けられる導水分散部８０と平面視で重ならない位置に配置される。これは、導水分散部８０の機能を妨げないようにするためである。また、洗浄剤パッケージ２００の厚みは、収束部８１ｂの側壁下端から中蓋８２ｂの底面全体に水が一様に落下するため、この収束部８１ｂの側壁下端よりも薄く選定される。これにより、収束部８１ｂから落下する水が、洗浄剤パッケージ２００の内周側面や上面に設けられる通水孔２０２から洗浄剤パッケージ２００内部に流入し易くなる。
【手続補正１２】
【補正対象書類名】明細書
【補正対象項目名】０１１３
【補正方法】変更
【補正の内容】
【０１１３】
なお、本実施形態では、洗浄剤２０６を容器１９８に収めた洗浄剤パッケージ２００を中蓋８２ｂ内の洗浄剤収容部３００に収容した場合について説明したが、容器１９８を使用しないで洗浄剤２０６そのものを中蓋８２ｂ内の洗浄剤収容部３００に収容しても良い。これは、蓋体８２を構成する中蓋８２ｂは、底部７７ａを有すると共に、この底部７７ａの周縁から上方に立設された筒状の側壁７７ｂを有する。そのため、洗浄剤２０６が給水される水により溶け出しても、中蓋８２ｂの底部７７ａおよび側壁７７ｂによって保持され、落下しないためである。
【手続補正１３】
【補正対象書類名】明細書
【補正対象項目名】０１１５
【補正方法】変更
【補正の内容】
【０１１５】
本実施形態のように自動給水型のディスポーザ装置１の場合でも、上述した第１の実施の形態と同様に、蓋体８２の内部に洗浄剤２０６を設けるため、破砕処理時の給水により、洗浄液がホッパー３に供給される。これにより、厨芥の破砕処理と同時に、ディスポーザ装置１の内部の洗浄処理が行われる。従って、破砕ユニット４をホッパー３から取り外すことなく装着した状態で、ホッパー３の内部を清潔に保つことができる。
【手続補正１４】
【補正対象書類名】明細書
【補正対象項目名】０１２３
【補正方法】変更
【補正の内容】
【０１２３】
図２３（ａ）に示すように、破砕モード時以外で、例えば、食器類の洗浄等を行うときには、蓋本体２３４のマーク７５が「ＯＦＦ」の位置に合わされている。このとき、操作蓋２２０の導引孔２２４と、蓋本体２３４の注水用透孔１０８とを平面視で重ならない（ズレている）位置まで、操作蓋２２０を回転させる。ここで、蓋本体２３４の溝部２２８には例えばストッパが設けられており、上記位置で操作蓋２２０の回転が止まり、操作蓋２２０がロックされるものとする。これにより、操作蓋２２０の導引孔２２４は蓋本体２３４の頂面板６０（遮蔽部２０８）によって遮蔽され、蓋体１１の上方から給水される水は、操作蓋２２０の導引孔２２４および蓋本体２３４の注水用透孔１０８を通過できない。操作蓋２２０上面に給水される水は、係合フランジ６１側に流れ、係合フランジ６１との連結円周部付近の注水用透孔１０９を介して、ホッパー３側に供給される。連結円周部付近の注水用透孔１０９は、円筒の胴部６７の外側に穿設されているので、胴部６７の内側に収容されている洗浄剤パッケージ２００は注水用透孔１０９から落下する水に曝されることはない。
【手続補正１５】
【補正対象書類名】明細書
【補正対象項目名】０１２７
【補正方法】変更
【補正の内容】
【０１２７】
また、本実施形態によれば、導引孔２３６を構成するときの操作蓋２２０の回転方向と、ディスポーザ装置の運転を破砕モードに切り替えるときの蓋本体２３４の回転方向とが同一方向となる。従って、最小の動作で、破砕モードへの切り替えと洗浄剤２０６の供給切り替えとを行うことができる。また、蓋本体２３４のみを時計方向に回転させて、マーク７５の位置を「ＯＦＦ」から「ＯＮ」の位置へと合わせた後、操作蓋２２０の操作を行わなければ洗浄剤２０６へ水が給水されないことから、洗浄液のホッパー３の内部への供給が行われない。その一方、注水用透孔１０９からホッパー３の内部への給水は行われるので、ディスポーザ装置１を従来のディスポーザ装置１と同様に使用することができ、使用者に望まれない洗浄剤２０６の消費を抑制することができる。加えて、キッチンシンクＳの蛇口から通水を行ないつつ、食器等の洗浄を行なう際、予め、蓋本体２３４のマーク７５を「ＯＦＦ」の位置に合わせた状態で操作蓋２２０を時計方向に回転させて、導引孔２３６（第３孔）が構成された状態としておくことで、ディスポーザ装置１を使用しない状態であっても、食器洗浄時などの排水を利用してディスポーザ装置１の内部の洗浄を行える。
【手続補正１６】
【補正対象書類名】明細書
【補正対象項目名】０１３２
【補正方法】変更
【補正の内容】
【０１３２】
１・・・ディスポーザ装置
１１・・・蓋体
６０・・・頂面板
８２ａ・・・上蓋
８２ｂ・・・中蓋
８２・・・蓋体
１０８・・・注水用透孔
２０６・・・洗浄剤
２０８・・・遮蔽部
２１０・・・保持部
２１２・・・取っ手部
２１２ａ・・・中空部
２１２ｂ・・・導引孔
２１４・・・位置固定部材
３００・・・洗浄剤収容部
【手続補正１７】
【補正対象書類名】図面
【補正対象項目名】図１
【補正方法】変更
【補正の内容】
【図１】
2008012482.tif 000001
【手続補正１８】
【補正対象書類名】図面
【補正対象項目名】図２
【補正方法】変更
【補正の内容】
【図２】
2008012482.tif 000002
【手続補正１９】
【補正対象書類名】図面
【補正対象項目名】図３
【補正方法】変更
【補正の内容】
【図３】
2008012482.tif 000003
【手続補正２０】
【補正対象書類名】図面
【補正対象項目名】図５
【補正方法】変更
【補正の内容】
【図５】
2008012482.tif 000004
【手続補正２１】
【補正対象書類名】図面
【補正対象項目名】図１０
【補正方法】変更
【補正の内容】
【図１０】
2008012482.tif 000005
【手続補正２２】
【補正対象書類名】図面
【補正対象項目名】図１５
【補正方法】変更
【補正の内容】
【図１５】
2008012482.tif 000006
【手続補正２３】
【補正対象書類名】図面
【補正対象項目名】図１６
【補正方法】変更
【補正の内容】
【図１６】
2008012482.tif 000007
【手続補正２４】
【補正対象書類名】図面
【補正対象項目名】図２０
【補正方法】変更
【補正の内容】
【図２０】
2008012482.tif 000008
【手続補正２５】
【補正対象書類名】図面
【補正対象項目名】図２１
【補正方法】変更
【補正の内容】
【図２１】
2008012482.tif 000009